(57)【要約】      （修正有）【課題】洗浄室の壁部の内面に付着した汚れを落としやすい容器洗浄装置を提供する。【解決手段】容器洗浄装置１は、洗浄室１０と、前記洗浄室１０内に洗浄用の液体を噴出するノズル２１とを備えてなる。さらに、前記洗浄室１０を形成する壁部がその厚み方向に貫通する孔部２５を備え、前記ノズル２１が、前記孔部２５を介して前記壁部の外面側から装着されて該ノズル２１の吐出口が前記洗浄室１０内に臨んでいることを特徴とする。【選択図】図１
0003155978.tif 000002
【実用新案登録請求の範囲】
【請求項１】
洗浄室と、前記洗浄室内に洗浄用の液体を噴出するノズルとを備えてなる容器洗浄装置であって、
前記洗浄室を形成する壁部がその厚み方向に貫通する孔部を備え、前記ノズルが、前記孔部を介して前記壁部の外面側から装着されて該ノズルの吐出口が前記洗浄室内に臨んでいることを特徴とする容器洗浄装置。
【請求項２】
前記ノズルが、前記洗浄室の壁部となる天井面、側面、底面のいずれか少なくとも一つの面に設けられている請求項１記載の容器洗浄装置。
【請求項３】
前記洗浄室内に出し入れされる、被洗浄物を支持する支持枠体が、前記洗浄室内で移動するためのガイド部材を備えてなり、
前記洗浄室の外部に、前記ガイド部材を非接触で移動させる誘導部を備えた駆動機構が設けられている請求項１又は２記載の容器洗浄装置。
【請求項４】
前記ガイド部材が磁性体からなり、前記駆動機構が、前記誘導部である、前記磁性体に磁力を及ぼすマグネットと、該マグネットを前記ガイド部材の移動方向に沿って動作させる動作機構とを備える請求項３記載の容器洗浄装置。
【請求項５】
前記ガイド部材が、前記支持枠体の底部に設けられ、前記駆動機構が前記洗浄室の底面の下部に設けられている請求項４記載の容器洗浄装置。
【請求項６】
前記洗浄室内に出し入れされる、被洗浄物を支持する支持枠体が、前記洗浄室内において、洗浄中に回転可能に支持される回転式である請求項１〜５のいずれか１に記載の容器洗浄装置。
【請求項７】
前記洗浄室内に出し入れされる、被洗浄物を支持する支持枠体が、前記洗浄室内において、洗浄中に一方と他方との間で一方向に搬送されるか又は往復して搬送されるコンベア式である請求項１〜５のいずれか１に記載の容器洗浄装置。
【考案の詳細な説明】
【技術分野】
【０００１】
本考案は、食品を含む種々の物品を保持して搬送するために用いられるパレット、コンテナ等の搬送用の容器、あるいは、弁当箱や食器などの容器を洗浄するための容器洗浄装置であって、特に、食品工場、レストランなどで用いられる業務用の容器洗浄装置に関する。
【背景技術】
【０００２】
パレット、コンテナ等と称される物品搬送用の容器は、物流のクリーン化や環境配慮の要請等から、近年、木製のものからプラスチック製のものの使用が増加してきている。プラスチック製のものを繰り返し使用する場合、衛生面を考慮して、所定の頻度で洗浄する必要がある。しかし、パレットやコンテナ等は、縦横数十ｃｍ〜１ｍ前後の大きさがあるため、これを大量に洗うためには専用の洗浄装置を必要とする。特許文献１，２には、このパレット、コンテナ等と称される容器を洗浄する専用の装置が開示されている。
【０００３】
すなわち、開閉扉を備えた洗浄室と、この洗浄室内に回転可能に設けられた支持枠体と、支持枠体の外側から支持枠体に向かって洗浄用の液体（洗浄液、濯ぎ液）を噴出するノズル機構とを備えている。支持枠体は、複数本の棒状部材を縦横に配置してなる略方形体のかご状に形成されてなる。物品搬送用の容器は、この支持枠体内に収容されて洗浄される。つまり、支持枠体が棒状部材を縦横に配置して形成されていたり、網状の部材から形成されていたりするため、ノズル機構から洗浄用の液体を噴射させると、それらの隙間から洗浄用の液体が支持枠体内に供給され、これにより、支持枠体内に収容された容器が洗浄される。
【０００４】
また、洗浄装置としては、特許文献３，４に示したように、コンベアの任意位置に洗浄室を設け、容器をコンベアで一方から他方へ搬送しながら洗浄する装置もある。
【先行技術文献】
【特許文献】
【０００５】
【特許文献１】特開２０００−３７６６９号公報
【特許文献２】特開２００２−２８５８６号公報
【特許文献３】特開２００５−２９６８８６号公報
【特許文献４】特開２００６−２２３９９１号公報
【考案の概要】
【考案が解決しようとする課題】
【０００６】
しかしながら、従来の洗浄装置は、いずれも、洗浄室内においてノズル機構（ノズル及びノズルに液体を供給する配管）が支持枠体と洗浄室を形成する壁部との間に、すなわち、洗浄室を形成する壁部よりも内側に突出して設けられている。このため、容器を洗浄した際に周囲に飛散する汚れがノズル機構の配管の周囲や配管と洗浄室の壁部との間に付着しやすい。配管と洗浄室の壁部との間などは、非常に狭い隙間であるため、清掃しても汚れが残りやすく、時間経過と共に、水垢、カビとして残り、よりいっそう落としにくくなる。
【０００７】
同様に、洗浄室内で容器を支持する支持枠体は、回転式のもの、コンベア式のもののいずれの場合も、洗浄室の底面に、該支持枠体を支持するための機構が必要であり、底面から洗浄室内に回転軸などの部材が突出している。このような部材の周囲も汚れが付着しやすい。
【０００８】
また、洗浄室の開閉扉が配置される出し入れ口部分の端縁は、従来、内側に、つまり洗浄室内へ向けて折り込まれている。同様に、洗浄室の壁部を形成するパネルは、１枚ものとは限らず、複数枚を接合して形成されていることが多いが、この場合、複数枚のパネルの端縁を内側に（洗浄室内へ向けて）折り曲げ、その折り曲げた部分を溶接等により接合している。このため、内側に折り曲げられた部分が洗浄室内に突出し、その突出した部分付近において汚れ、水垢、カビが付着しやすいという問題もある。
【０００９】
本考案は上記に鑑みなされたものであり、洗浄室の壁部の内面に付着した汚れを落としやすい容器洗浄装置を提供することを課題とする。
【課題を解決するための手段】
【００１０】
上記課題を解決するため、本考案の容器洗浄装置は、洗浄室と、前記洗浄室内に洗浄用の液体を噴出するノズルとを備えてなる容器洗浄装置であって、
前記洗浄室を形成する壁部がその厚み方向に貫通する孔部を備え、前記ノズルが、前記孔部を介して前記壁部の外面側から装着されて該ノズルの吐出口が前記洗浄室内に臨んでいることを特徴とする。
【００１１】
また、本考案の容器洗浄装置では、前記容器洗浄装置において、前記ノズルが、前記洗浄室の壁部となる天井面、側面、底面のいずれか少なくとも一つの面に設けられていることが好ましい。
【００１２】
また、本考案の容器洗浄装置では、前記容器洗浄装置において、前記洗浄室内に出し入れされる、被洗浄物を支持する支持枠体が、前記洗浄室内で移動するためのガイド部材を備えてなり、
前記洗浄室の外部に、前記ガイド部材を非接触で移動させる誘導部を備えた駆動機構が設けられていることが好ましい。
【００１３】
また、本考案の容器洗浄装置では、前記容器洗浄装置において、前記ガイド部材が磁性体からなり、前記駆動機構が、前記誘導部である、前記磁性体に磁力を及ぼすマグネットと、該マグネットを前記ガイド部材の移動方向に沿って動作させる動作機構とを備えることが好ましい。
【００１４】
また、本考案の容器洗浄装置では、前記容器洗浄装置において、前記ガイド部材が、前記支持枠体の底部に設けられ、前記駆動機構が前記洗浄室の底面の下部に設けられていることが好ましい。
【００１５】
また、本考案の容器洗浄装置では、前記容器洗浄装置において、前記洗浄室内に出し入れされる、被洗浄物を支持する支持枠体が、前記洗浄室内において、洗浄中に回転可能に支持される回転式であることが好ましい。
【００１６】
また、本考案の容器洗浄装置では、前記容器洗浄装置において、前記洗浄室内に出し入れされる、被洗浄物を支持する支持枠体が、前記洗浄室内において、洗浄中に一方と他方との間で一方向に搬送されるか又は往復して搬送されるコンベア式であることが好ましい。
【考案の効果】
【００１７】
本考案は、洗浄用の液体を噴出するノズルを、洗浄室を形成する壁部を貫通する孔部を介して外面側から装着して吐出口を洗浄室内に臨ませている。すなわち、ノズルの吐出口を洗浄室の壁部の内面とほぼ同一面となるように構成している。従って、ノズルを設けることによる凹凸が従来よりも少なくなるため、容器を洗浄して飛散した汚れが付着しにくく、付着したとしても、ノズルが大きく内方に突出しているわけではないため、汚れを落としやすい。
【００１８】
また、容器を支持する支持枠体を駆動させる駆動機構を外部に設けることにより、洗浄室内において支持枠体を支持するための機構が簡素化される。これにより、支持枠体を支持するための機構を設けることによる洗浄室内の凹凸が少なくなり、汚れが付着しにくくなると共に、付着した汚れも落としやすくなる。
【００１９】
ガイド部材が磁性体で、誘導部がマグネットである場合は、洗浄室の外部から支持枠体を非接触にて移動するために簡単な機構で効果的に誘導することができる。また、駆動機構がコンベア式である場合は、誘導部による誘導範囲を簡単に調整することができる。また、誘導部を往復移動したり、一方向に移動したり簡単に制御できるので、支持枠体の移動を制御することが簡単である。
【００２０】
本考案は、以上のように洗浄室内を清潔に保つのに優れているため、特に、弁当箱や食器などの容器、あるいは、食品を搬送するパレット等、食品関連に使用する容器を洗浄する装置として適している。
【図面の簡単な説明】
【００２１】
【図１】図１は、本考案の一の実施形態に係る容器洗浄装置の全体構成を示した斜視図である。
【図２】図２（Ａ）は、図１のＩＩＡにおけるノズル機構の一例を示す断面図であり、図２（Ｂ）は、図１のＩＩＢにおける拡大断面図であり、図２（Ｃ）は、図１のＩＩＣにおける拡大断面図である。
【図３】図３は、本考案の一の実施形態に係る容器洗浄装置の全体構成を示した正面図である。
【図４】図４は、図３の洗浄室内を上から視た平面図である。
【図５】図５は、本考案の他の実施形態に係る容器洗浄装置の全体構成を示した正面図である。
【図６】図６は、図５の洗浄室内を上から視た平面図である。
【考案を実施するための形態】
【００２２】
以下、本考案の実施形態を図面に基づいて更に詳しく説明する。図１および図３に示したように、本実施形態の容器洗浄装置１は、洗浄室１０、ノズル機構２０、支持枠体３０を有して構成される。
【００２３】
洗浄室１０は、パレット、コンテナ等と称される物品搬送用の容器６０などの被洗浄物を洗浄用の液体５０（洗浄液や濯ぎ液等）によって洗浄するためのもので、箱型形状に形成されている。この洗浄室１０には、前記容器６０を搬入および搬出するための出し入れ口１２と、この出し入れ口１２を開閉するための開閉扉１１が上下動可能に設けられている。
【００２４】
また、洗浄室１０の底面には、支持枠体３０を走行移動させるための２本のレール１３が設けられている。２本のレール１３は出し入れ口１２にて外部に設けた２本のレール１４と連結されている。支持枠体３０が外部のレール１４上を走行して外部から洗浄室１０の底面のレール１３上を走行して内部へ搬入される構成である。
【００２５】
洗浄室１０の出し入れ口１２の端縁は、図２（Ｂ）に示すように、洗浄室１０の壁部１５を形成するパネル１５ａを外側に向けて折り曲げている。つまり、パネル１５ａの折り曲げた部分が内側に出っ張らないようにしている。同様に、洗浄室１０の壁部１５を形成するパネル１５ａは、１枚ものとは限らず、複数枚を接合して形成されていることが多いが、この場合、図１のＩＩＣの破断部分および図２（Ｃ）に示すように、複数枚のパネル１５ａの端縁を外側に向けて折り曲げ、その折り曲げた部分を突き合わせて溶接等により接合する。
【００２６】
これにより、洗浄室１０の内壁面はより凹凸が少なくなり、汚れ等が付着しにくいと共に、付着したとしてもよりいっそう容易に落とすことができる。
また、外側に折り曲げた部分には、その部分が邪魔になったりしないように、一回り大きなカバーパネル１６等により被覆することが好ましい。折り曲げ部分には２回折り曲げてフランジ部１５ｂを形成することが、壁部１５を形成するパネル１５ａの外側にカバーパネル１６を覆い易くする点で好ましい。
【００２７】
ノズル機構２０は、図１および図３に示すように、洗浄室１０内に搬入した支持枠体３０に支持された容器６０に対して、洗浄用の液体５０を噴出するノズル２１を備えたもので、洗浄室１０の壁部１５に設けられる。前記ノズル２１は、洗浄室１０の壁部１５となる天井面、側面、底面のいずれか少なくとも一つの面に設けられている。
洗浄室１０の天井面には、上方から前記容器６０に向けて噴射する上方噴射ノズル部２２が設けられる。洗浄室１０の底面には、下方から前記容器６０に向けて噴射する下方噴射ノズル部２３が設けられる。洗浄室１０の側面には、支持枠体３０の側面側から前記容器６０に向けて噴射する側方噴射ノズル部２４が設けられる。
【００２８】
上方噴射ノズル部２２、下方噴射ノズル部２３および側方噴射ノズル部２４は、複数のノズル２１を適宜間隔で配列している。例えば、側方噴射ノズル部２４を例にとって説明すると、図３に示すように、縦方向に４本のノズル２１で一列をなし、図３において左右方向に適宜間隔にて６列のノズル２１を配置している。
【００２９】
また、各ノズル２１は、ほぼ同様の構成である。すなわち、洗浄室１０を形成する壁部１５には、その厚み方向に貫通する孔部２５を備えている。各ノズル２１は、前記孔部２５を介して壁部１５の外面側から装着されており、該ノズル２１の吐出口２６が洗浄室１０内に臨んでいる。しかも、ノズル２１の先端は、壁部１５の内壁面より内側へ出っ張らないように、内壁面とほぼ同じか、あるいは内壁面より外側へ位置するように配置されている。
【００３０】
例えば、図２（Ａ）に示すように、壁部１５を形成するパネル１５ａに前記孔部２５の一部を構成する貫通孔２５ａが形成される。その貫通孔２５ａの箇所には、ノズル２１を取り付けるための孔部２５の一部を構成するねじ孔２５ｂを備えたノズル取付金具２７が、パネル１５ａの外側に溶接等で固定される。このとき、前記ねじ孔２５ｂが前記貫通孔２５ａに臨むように配置される。また、カバーパネル１６には金具用貫通孔２８が形成されている。前記ノズル取付金具２７は前記金具用貫通孔２８に挿入して溶接等で固定する。
ノズル２１は、その外周に設けたねじ部を前記ノズル取付金具２７のねじ孔２５ｂにねじ込んで、ノズル２１の先端が壁部１５の内壁面より内側へ出っ張らないように調整する。ノズル２１の後端には、洗浄用の液体５０を供給するための洗浄用液体供給管５７が装着される。
なお、各ノズル２１を洗浄室１０の壁部１５に取付ける方法は、上記のようにねじ孔２５ｂを備えたノズル取付金具２７を設けて前記ねじ孔２５ｂに螺着することに限定されず、貫通孔２５ａにノズル２１が内方に出っ張らないように固定できる限り、他の取り付け方法を採用することもできる。
【００３１】
上述したように、上方噴射ノズル部２２、下方噴射ノズル部２３および側方噴射ノズル部２４の各ノズル２１が洗浄室１０の内方に突出しない構成としたので、パレット等の物品搬送用の容器６０などの洗浄物を洗浄したことによって、汚れが洗浄室１０の内壁面に付着しにくくなる。また、汚れが付着したとしても、該内壁面が平坦であるため、汚れを落としやすくなり、洗浄室１０内をより衛生的に保つことができる。
【００３２】
洗浄室１０の外部等の適宜位置には、図３に示すように、洗浄液５１を収容する洗浄液タンク５３（洗浄液貯留部）と、濯ぎ液５２を収容する濯ぎ液タンク５４（濯ぎ液貯留部）を設けている。洗浄液タンク５３の洗浄液５１は洗浄液供給ポンプ５５により、洗浄用液体供給管５７を通って上方噴射ノズル部２２と下方噴射ノズル部２３と側方噴射ノズル部２４に供給される。また、濯ぎ液タンク５４の濯ぎ液５２は濯ぎ液供給ポンプ５６により、洗浄用液体供給管５７を通って上方噴射ノズル部２２と下方噴射ノズル部２３と側方噴射ノズル部２４に供給される。
【００３３】
上方噴射ノズル部２２、下方噴射ノズル部２３および側方噴射ノズル部２４では、複数のノズル２１のうち、洗浄室１０の出し入れ口１２に近い側に配列したノズル２１には洗浄液５１を供給し、出し入れ口１２から遠い側に配列したノズル２１には濯ぎ液５２を供給することができる。
あるいは、洗浄液５１および濯ぎ液５２は隣り合うノズル２１に交互に供給するように配置し、例えば切換え弁等で切り替えることによって、まず洗浄液５１を噴射して容器６０を洗浄してから、濯ぎ液５２を噴射して水洗いすることができる。上記のような各ノズル２１へ洗浄液５１および濯ぎ液５２を供給する方法は、その他の方法でも良く、特に限定されない。
【００３４】
支持枠体３０は、図１および図３に示すように、容器６０を載置して支持可能な枠体である。支持枠体３０は、例えば、複数本のステンレス製の中実の棒や中空のパイプ等を格子状のかご型形状に形成したもので、容器６０を載置して洗浄用の液体５０を噴射した時に洗浄用の液体５０が容器６０にかかるように構成されている。なお、棒やパイプで形成するのではなく、網から形成することもできる。また、支持枠体３０は、図４に示すように、平面では略方形体である。
【００３５】
支持枠体３０は、例えば、４つの車輪３１を介して洗浄室１０の底面の床面に設けた２本のレール１３上を走行可能に設けられる。例えば、支持枠体３０は、２本のレール１３上を走行可能な４つの車輪３１を備えた台車３２の上に載置してボルトなどで取外し可能に固定することができる。このとき、台車３２は、支持枠体３０と同じように枠体で構成することが、底面側から噴射される洗浄用の液体５０によって容器６０へ噴射可能とする点で望ましい。あるいは、上記の台車３２を用いずに、支持枠体３０の下面に４つの車輪３１を着脱可能に取り付けても良い。
【００３６】
支持枠体３０は、洗浄室１０の内部で、非接触で自動的に移動される構成としている。すなわち、支持枠体３０にガイド部材３３を設けるとともに、前記ガイド部材３３を洗浄室１０の外部で遠隔操作して移動させる誘導部４１を備えた駆動機構４０を設ける。
その一例として、支持枠体３０の下面に、磁性体からなるガイド部材３３が設けられる。ガイド部材３３はその下端面が洗浄室１０の底面に近い位置に配置される。ガイド部材３３の磁性体の材料としては、洗浄液５１にさらされるので、メッキや塗装などで腐食防止処理する必要があることからステンレスが好ましい。
【００３７】
一方、駆動機構４０としては、前記ガイド部材３３を介して支持枠体３０を非接触で移動させるために、洗浄室１０の底部の下方に、ガイド部材３３の磁性体に磁力を及ぼすマグネットを誘導部４１として備え、前記マグネット４１を前記ガイド部材３３の移動方向に沿って動作させるコンベア機構４２（動作機構）を設ける。前記コンベア機構４２は、コンベア４３が洗浄室１０の底面の２本のレール１３の間の下方位置に配置され、前記コンベア４３の上面の一部にマグネット４１が固定されている。コンベア４３は、マグネット４１を正逆方向へ往復動移動させたり、一方向に回転させたり、マグネット４１の位置を自在に制御できる構成である。
上記のように支持枠体３０に備えたガイド部材３３に対してコンベア４３の誘導部４１にて誘導することによって、支持枠体３０を非接触で移動する方式を、本実施形態では「コンベア式」と称する。
【００３８】
磁性体のガイド部材３３とマグネットの誘導部４１との組み合わせは、洗浄室１０の外部から支持枠体３０を非接触にて移動する際に、簡単な機構で効果的に誘導することができる。また、コンベア式の駆動機構４０は、コンベア４３の長さを簡単に設計変更できるので、誘導部４１による誘導範囲を簡単に調整することができる。また、誘導部４１を往復移動したり、一方向に移動したり、容易に制御することができるので、支持枠体３０の移動を簡単に制御することができる。
また、支持枠体３０を洗浄室１０の内部で往復動させることによって、汚れが落ちやすくなるために容器６０の洗浄効果を向上させることができる。また、洗浄液５１が噴射する位置へ支持枠体３０を移動したり、濯ぎ液５２が噴射する位置へ移動することも容易である。
【００３９】
なお、支持枠体３０を洗浄室１０の外部から非接触で自動的に移動する構成としては、上記の例に限定されない。例えば、ガイド部材３３は支持枠体３０の下面でなくても他の個所でもよく、あるいは、駆動機構４０がコンベア式でなくても、洗浄室１０の底部の下部に設けなくても他の個所でもよい。また、ガイド部材３３と誘導部４１が、磁性体とマグネットの組み合わせでなくともよい。例えば、ガイド部材３３をマグネットから構成することもできる。
【００４０】
以上のように、前記支持枠体３０を駆動させる駆動機構４０を洗浄室１０の外部に設けることによって、洗浄室１０内において支持枠体３０を支持するための機構が簡素化される。その結果、洗浄室１０の底面は、２本のレール１３だけとなる。すなわち、支持枠体３０を支持するための機構を設けるために生じる、洗浄室１０内の凹凸が少なくなり、汚れが付着しにくくなるとともに、付着した汚れも落としやすくなる。また、洗浄室１０内にレールを設けない構成としてもよく、その場合には、より汚れの付着が減ると共に、より汚れを落としやすくなる。
【００４１】
なお、前述した実施形態では、洗浄室１０の出し入れ口１２が一か所であるが、一方の側面に入口を設け、反対側の側面に出口を設けた構成とすることもできる。その場合、洗浄室１０の底面の２本のレール１３は、入口の外側と出口の外側にそれぞれ設けた２本のレール１４に連結する。また、駆動機構４０のコンベア４３は、洗浄室１０の外部へ延長されていても良い。この場合は、外部にレール１４を設けることなく、支持枠体３０を洗浄室１０の外部から内部へ駆動機構４０を用いて移動させることができる。これらの場合に、支持枠体３０を往復動させるのではなく、支持枠体３０を洗浄室１０の外部から入口を通過して内部へ搬入し、洗浄後に内部から出口を通過して外部へ移動させるというように一方通行の構成とすることもできる。また、洗浄室１０の外部に、洗浄室１０の駆動機構４０とは別のコンベア（図示なし）を設けても良い。
また、前記レール１３に沿って複数の洗浄室１０を設けることもできる。この場合は、洗浄専用の洗浄室１０と濯ぎ専用の洗浄室１０を配置することもできる。
【００４２】
前述した実施形態では、洗浄室１０内に出し入れする支持枠体３０を搬送される場合について説明したが、前記支持枠体３０が、洗浄室１０内において、洗浄中に回転可能に支持される回転式であっても適用される。
その回転式について図５および図６を参照して説明すると、支持枠体３０は、洗浄室１０の底部から垂直に設けられた回転軸１７の先端部に取り外し可能に取り付けられている。例えば、支持枠体３０の底部の中央にピン用孔部３４を設け、このピン用孔部３４と回転軸１７の先端部のピン取付用穴部に固定用ピン３５を挿入してねじ部で固定することができる。
【００４３】
あるいは、上記の方法に限定されず、固定用ピン３５はねじ部で固定するのではなく、ピン取付用穴部に挿入してからワンタッチで固定できる構造とすることもできる。あるいは、その他の固定方法で支持枠体３０を回転軸１７の先端部に取り外し可能に取り付けてもよい。
【００４４】
上記の回転軸１７は、その下端側が洗浄室１０の外側下方等の適宜位置に設けた図示しないモータ等の回転駆動装置によって回転駆動される構成である。洗浄室１０の外側等に配置される運転駆動室の構造は従前通りであるので、その説明を省略する。
【００４５】
また、回転軸１７に対する支持枠体３０の取り付け状態を安定させるために、例えば、回転軸１７の先端部の周りに放射状に延びた複数本の受け部材と、その複数の受け部材の先端側をリング状に連結する連結部材とで構成する支持枠体受け部材１８を設け、前記支持枠体受け部材１８の下面に洗浄室１０の底面を走行可能に複数の自在キャスタ１９を設けることができる。回転軸１７によって支持枠体受け部材１８が回転する際に、自在キャスタ１９が洗浄室１０の底面に沿って環状に転動するため、支持枠体受け部材１８及びそれに支持された支持枠体３０が安定して回転できる。
【００４６】
支持枠体３０の回転動作を安定させる方法としては、上記のほか、例えば、支持枠体受け部材１８の下面に無端環状のレールを設け、このレールとかみ合う部材を洗浄室１０の底部に設けた方法を採用することもできる。
【００４７】
以上のように、支持枠体３０を回転可能に支持する回転軸１７に対して取り外し可能な構成とすることによって支持枠体３０を洗浄室１０の外に取り出すことができる。これによって、支持枠体３０自体に汚れが付着した際には、該支持枠体３０を取り出して容易に洗浄することができる。また、支持枠体３０を洗浄室１０から取り出した後に、洗浄室１０の内壁面に付着した汚れを清掃することが簡単になるので、洗浄装置自体をより清潔に保つことに寄与できる。
【００４８】
なお、洗浄室１０の壁部１５にノズルが内方に突出しないように設けるという上記の構成に加えて、回転軸１７によって支持枠体３０を回転させて洗浄する構成とした場合、回転軸１７付近にもノズルを設けるようにしてもよい。この場合、ノズルは、外方に向かって液体が噴射するように設ける。液体を複数方向に噴射するように設けることも可能であるが、噴射方向が多くなるほど、液体の吐出圧力が低下し、逆に吐出圧力を維持しようとすればポンプ性能を高くしなければならないため、１方向が好ましく、多くても２方向程度がよい。また、ノズルは洗浄液が噴出するものと濯ぎ液が噴出するものの２系統設けることが好ましく、回転する容器に対して、最初に洗浄液が当たり、次に、濯ぎ液が当たるように設けることが好ましい。洗浄液を噴出するタイミングと濯ぎ液を噴出するタイミングとを時間により分ける制御も可能である。このように、回転軸１７付近にノズルを外方に向けて設けた場合、図４及び図６に示したように２つの容器６０を背中合わせにセットするのではなく、回転軸１７付近のノズルを挟んで、容器６０の内面同士が向き合うようにセットする。これにより、支持枠体３０が回転すると、容器６０の内面のすべての部分に万遍なく液体が当たり、汚れ落ち効果が向上する。また、内部の仕切りが複数ある複雑な形状の弁当箱や食器などを洗浄するのにも適している。
【符号の説明】
【００４９】
１  容器洗浄装置
１０  洗浄室   １１  開閉扉
１２  出し入れ口  １３  レール
１４  レール   １５  壁部
１５ａ  パネル   １５ｂ  フランジ部
１６  カバーパネル  １７  回転軸
１８  支持枠体受け部材 １９  自在キャスタ
２０  ノズル機構  ２１  ノズル
２２  上方噴射ノズル部 ２３  下方噴射ノズル
２４  側方噴射ノズル部 ２５  孔部
２５ａ  貫通孔   ２５ｂ  ねじ孔
２６  吐出口   ２７  ノズル取付金具
２８  金具用貫通孔
３０  支持枠体   ３１  車輪
３２  台車   ３３  ガイド部材
３４  ピン用孔部   ３５  固定用ピン
４０  駆動機構   ４１  誘導部（マグネット）
４２  コンベア機構  ４３  コンベア
５０  洗浄用の液体  ５１  洗浄液
５２  濯ぎ液   ５３  洗浄液タンク（洗浄液貯留部）
５４  濯ぎ液タンク（濯ぎ液貯留部）
５５  洗浄液供給ポンプ ５６  濯ぎ液供給ポンプ
５７  洗浄用液体供給管
６０  容器（物品搬送容器など）
【図１】
0003155978.tif 000003
【図２】
0003155978.tif 000004
【図３】
0003155978.tif 000005
【図４】
0003155978.tif 000006
【図５】
0003155978.tif 000007
【図６】
0003155978.tif 000008